(57)【要約】      （修正有）【課題】燃料消費量が低減された浮遊船舶および浮遊船舶を運転する方法を提供する。【解決手段】浮遊船舶、詳細にはＬＮＧ船が説明される。浮遊船舶は、第１の電力（２１）を生成して第１の電力（２１）を配電システム（５０）に供給するように構成されたガスタービンエンジン−発電機アセンブリ（１０）と、第２の電力（４１）を生成して第２の電力（４１）を配電システム（５０）に供給するように構成された蒸気タービンエンジン−発電機アセンブリ（３０）と、配電システム（５０）から供給された推進力（６１）を使用して浮遊船舶（１００）を推進するように構成された推進システム（６０）とを含み、ガスタービンエンジン−発電機アセンブリ（１０）は、２５℃で１０ＭＷ〜１８ＭＷ、特に１４ＭＷ〜１５ＭＷの最大の第１の電力を生成するように構成される。さらに、浮遊船舶を運転する方法が説明される。【選択図】図１
2018158713.tif 000002
【特許請求の範囲】
【請求項１】
浮遊船舶（１００）、詳細にはＬＮＧ船であって、
第１の電力（２１）を生成して前記第１の電力（２１）を配電システム（５０）に供給するように構成されたガスタービンエンジン−発電機アセンブリ（１０）と、
第２の電力（４１）を生成して前記第２の電力（４１）を前記配電システム（５０）に供給するように構成された蒸気タービンエンジン−発電機アセンブリ（３０）と、
前記配電システム（５０）から供給された推進力（６１）を使用して前記浮遊船舶（１００）を推進するように構成された推進システム（６０）と
を含み、
前記ガスタービンエンジン−発電機アセンブリ（１０）は、２５℃で１０ＭＷ〜１８ＭＷ、特に１４ＭＷ〜１５ＭＷの最大の第１の電力を生成するように構成される、浮遊船舶（１００）。
【請求項２】
前記蒸気タービンエンジン−発電機アセンブリ（３０）が、３ＭＷ〜１０ＭＷ、特に５ＭＷ〜６ＭＷの最大の第２の電力を生成するように構成される、請求項１に記載の浮遊船舶（１００）。
【請求項３】
前記推進システム（６０）が、前記推進力（６１）が前記最大の第１の電力と前記最大の第２の電力の合計に対応するとき、１８ノット以下の最大速度で前記浮遊船舶（１００）を推進するように構成される、請求項２に記載の浮遊船舶（１００）。
【請求項４】
前記ガスタービンエンジン−発電機アセンブリ（１０）のブラックスタート機能を提供し、および／または第３の電力（９２）を前記配電システム（５０）に供給するように構成された１つまたは複数のディーゼルエンジン−発電機アセンブリ（９０）をさらに含み、特に、前記第３の電力（９２）が、２ＭＷ〜５ＭＷである、請求項１乃至３のいずれか１項に記載の浮遊船舶（１００）。
【請求項５】
前記推進システム（６０）が、前記ガスタービンエンジン−発電機アセンブリ（１０）が前記最大の第１の電力を生成し、前記蒸気タービンエンジン−発電機アセンブリ（３０）が前記最大の第２の電力を生成し、前記１つまたは複数のディーゼルエンジン−発電機アセンブリ（９０）が前記第３の電力（９２）を生成するとき、１９ノット以上の最大速度で前記浮遊船舶（１００）を推進するように構成される、請求項４に記載の浮遊船舶（１００）。
【請求項６】
前記ガスタービンエンジン−発電機アセンブリ（１０）が、ＬＮＧリザーバ（７０）からの蒸発ガス（７１）および海洋ガス油（７２）で運転することができる二重燃料ガスタービンエンジンを含む、請求項１乃至５のいずれか１項に記載の浮遊船舶（１００）。
【請求項７】
前記ガスタービンエンジン−発電機アセンブリ（１０）が、ガス圧縮シャフトに配置され、ガス圧縮機を駆動するように構成された高圧タービンと、発電シャフトに配置され、発電用に構成された低圧タービンとを含む２軸エンジンを含む、請求項１乃至６のいずれか１項に記載の浮遊船舶（１００）。
【請求項８】
前記ガスタービンエンジン−発電機アセンブリ（１０）が、液化天然ガスの船舶貨物容量を最大にするように前記浮遊船舶（１００）に構成され配置される、請求項７に記載の浮遊船舶（１００）。
【請求項９】
前記ガスタービンエンジン−発電機アセンブリ（１０）が、前記高圧タービンと前記低圧タービンとの間に配置され、前記高圧タービンと前記低圧タービンの回転速度の比を調節するように構成された可変面積タービンノズルを含む、請求項７または８に記載の浮遊船舶（１００）。
【請求項１０】
前記ガスタービンエンジン−発電機アセンブリ（１０）が、特に入口ガス流の制御を行うための可変入口ガイドベーンを含む、多段軸流圧縮機を含む、請求項７乃至９のいずれか１項に記載の浮遊船舶（１００）。
【請求項１１】
前記ガスタービンエンジン−発電機アセンブリ（１０）が、前記ガスタービンエンジン−発電機アセンブリ（１０）の火炎損失なしに、３ＭＷ以上、特に６ＭＷ以上の負荷遮断、より詳細には全負荷遮断に耐えるように構成される、請求項１乃至１０のいずれか１項に記載の浮遊船舶（１００）。
【請求項１２】
前記ガスタービンエンジン−発電機アセンブリ（１０）からの高温排気ガス（８１）および／または酸化ユニットからの高温ガスを使用して蒸気（８２）を生成するように構成された蒸気発生器（８０）をさらに含み、前記蒸気（８２）が、前記蒸気タービンエンジン−発電機アセンブリ（３０）の蒸気タービンを駆動するように構成される、請求項１乃至１１のいずれか１項に記載の浮遊船舶（１００）。
【請求項１３】
浮遊船舶（１００）、詳細にはＬＮＧ船を運転する方法であって、
第１の電力（２１）を生成して前記第１の電力（２１）を配電システム（５０）に供給するために１０ＭＷ〜１８ＭＷの最大の第１の電力を生成するように構成されたガスタービンエンジン−発電機アセンブリ（１０）を運転することと、
第２の電力（４１）を生成して前記第２の電力（４１）を前記配電システム（５０）に供給するために蒸気タービンエンジン−発電機アセンブリ（３０）を運転することと、
前記配電システム（５０）から供給された推進力（６１）を使用して推進システム（６０）で前記浮遊船舶（１００）を推進することと
を含む、方法。
【請求項１４】
前記蒸気タービンエンジン−発電機アセンブリ（３０）の前記最大の第１の電力と最大の第２の電力の合計に対応する推進力で、１８ノット以下の速度で前記浮遊船舶（１００）を推進することを含む、請求項１３に記載の方法。
【請求項１５】
第３の電力（９２）を生成して前記第３の電力（９２）を前記配電システム（５０）に供給するために１つまたは複数のディーゼルエンジン−発電機アセンブリ（９０）を運転することをさらに含み、特に、前記第３の電力（９２）が、２ＭＷ〜５ＭＷである、請求項１３または１４に記載の方法。
【請求項１６】
前記蒸気タービンエンジン−発電機アセンブリ（３０）の前記最大の第１の電力および最大の第２の電力、ならびに前記第３の電力（９２）の合計に対応する推進力で、１９ノット以上の速度で前記浮遊船舶（１００）を推進することを含む、請求項１５に記載の方法。
【請求項１７】
前記浮遊船舶（１００）が基準レベルを下回る前記推進力を必要とする第１の運転モードで運転される場合、第３の電力（９２）が前記配電システム（５０）に供給されず、および／または
前記浮遊船舶（１００）が前記基準レベルを上回る前記推進力を必要とする第２の運転モードで運転される場合、前記第３の電力（９２）が前記配電システム（５０）に供給される、請求項１５または１６に記載の方法。
【請求項１８】
前記ガスタービンエンジン−発電機アセンブリ（１０）が、ＬＮＧリザーバ（７０）からの蒸発ガス（７１）で部分的にまたは全体的に運転され、および／または前記蒸気タービンエンジン−発電機アセンブリ（３０）が、前記ガスタービンエンジン−発電機アセンブリ（１０）からの高温排気ガス（８１）で生成された蒸気（８２）によって部分的にまたは全体的に駆動される、請求項１３乃至１７のいずれか１項に記載の方法。
【請求項１９】
前記ガスタービンエンジン−発電機アセンブリ（１０）を運転することが、前記高圧タービンと前記低圧タービンの回転速度の比を調節するために、前記ガスタービンエンジン−発電機アセンブリ（１０）の高圧タービンの下流および低圧タービンの上流に配置された可変面積タービンノズルを調整することを含む、請求項１３乃至１８のいずれか１項に記載の方法。
【請求項２０】
前記可変面積タービンノズルが、前記ガスタービンエンジン−発電機アセンブリ（１０）の第１の電力の需要に応じて、および／または負荷遮断の場合に調整される、請求項１９に記載の方法。
【発明の詳細な説明】
【技術分野】
【０００１】
本開示は、浮遊船舶、詳細にはタンク船、より詳細には液化天然ガスを輸送するように構成されたＬＮＧ船に関する。本開示はさらに、浮遊船舶、詳細にはＬＮＧ船を運転する方法に関する。より具体的には、本開示は、ガスタービンエンジン−発電機アセンブリおよび蒸気タービンエンジン−発電機アセンブリを有する浮遊船舶、ならびにそのような浮遊船舶を効率的に運転する方法に関する。
【背景技術】
【０００２】
少なくともいくつかの既知の液化天然ガス（ＬＮＧ）船の貯蔵タンクは冷却されておらず、かなりの内圧に耐えるように設計されていない場合がある。したがって、貯蔵タンクに貯蔵されたＬＮＧは、輸送中に蒸発することがある。これは、自然蒸発ガス（ＮＢＯＧ）として知られている。ＮＢＯＧは、ＬＮＧ船の貯蔵タンク内で連続的に生成され、船舶の安全性を保証するために常に管理されなければならない。ＮＢＯＧは、燃料源として、または船舶上の他のプロセスのために、たとえば電気エネルギー発生システムまたは推進システムのための燃料源としてＮＢＯＧを利用することによって管理することができる。
【０００３】
ＮＢＯＧが過剰量で存在すると、ガス燃焼ユニット（ＧＣＵ）で燃焼され、それにより生成された熱および排気ガス生成物が船外へと周囲大気中に排出され得る。本明細書で使用される蒸発ガス（ＢＯＧ）は、自然ＢＯＧ（ＮＢＯＧ）および強制ＢＯＧ（ＦＢＯＧ）の２つのガス流をカバーする。
【０００４】
電気エネルギーを生成するためのガスタービンエンジン−発電機アセンブリ（ＧＴＧ）を有する浮遊船舶は、すでに説明されている。ガスタービンは、蒸発ガスで運転させることができる。ガスタービンは、ディーゼルエンジンと比較して利点を有する。たとえば、ガスタービンは、より軽量であり、消費する空間が少なく、環境面で有益であり得る。
【０００５】
しかし、効率が向上し、全体的なエネルギーおよび燃料消費量が低減された浮遊船舶を運転することが有益であろう。
【発明の概要】
【０００６】
上記の観点から、浮遊船舶および浮遊船舶を運転する方法が提供される。
【０００７】
本開示の一態様によれば、浮遊船舶、詳細にはＬＮＧ船が提供される。浮遊船舶は、第１の電力を生成して第１の電力を配電システムに供給するように構成されたガスタービンエンジン−発電機アセンブリと、第２の電力を生成して第２の電力を配電システムに供給するように構成された蒸気タービンエンジン−発電機アセンブリと、配電システムから供給された推進力を使用して浮遊船舶を推進するように構成された推進システムとを含み、ガスタービンエンジン−発電機アセンブリは、２５℃で１０ＭＷ〜１８ＭＷ、特に１４ＭＷ〜１５ＭＷの最大の第１の電力を生成するように構成される。
【０００８】
本開示のさらなる態様によれば、浮遊船舶、詳細にはＬＮＧ船を運転する方法が提供される。方法は、第１の電力を生成して第１の電力を配電システムに供給するために１０ＭＷ〜１８ＭＷの最大の第１の電力を生成するように構成されたガスタービンエンジン−発電機アセンブリを運転することと、第２の電力を生成して第２の電力を配電システムに供給するために蒸気タービンエンジン−発電機アセンブリを運転することと、配電システムから供給された推進力を使用して推進システムで浮遊船舶を推進することとを含む。
【０００９】
本開示のさらなる態様、利点、および特徴は、従属請求項、明細書、および添付の図面から明らかとなる。
【００１０】
本開示の上記列挙された特徴が詳細に理解され得るように、上で簡潔に要約された本開示のより具体的な説明は、実施形態を参照することによってなされ得る。添付の図面は、本開示の実施形態に関するものであり、以下に説明される。いくつかの実施形態が図面に示され、以下の説明で詳述される。
【図面の簡単な説明】
【００１１】
【図１】本明細書に記載の実施形態による浮遊船舶の概略ブロック図である。
【図２】本明細書に記載の実施形態による浮遊船舶の概略ブロック図である。
【図３】本明細書に記載の実施形態による浮遊船舶の向上した効率を示すグラフである。
【図４】本明細書に記載の実施形態による浮遊船舶を運転する方法を示す流れ図である。
【発明を実施するための形態】
【００１２】
次に、本開示の様々な実施形態を詳細に参照し、その１つまたは複数の例を図に示す。各例は、説明のために提供され、限定を意味するものではない。たとえば、一実施形態の一部として例示または説明される特徴を任意の他の実施形態で、または任意の他の実施形態と組み合わせて使用して、またさらなる実施形態を得ることができる。本開示は、そのような修正および変形を含むことが意図されている。
【００１３】
以下の図面の説明の中で、同じ参照番号は、対応するまたは同様の構成要素を指す。一般に、個々の実施形態に関する相違点のみが説明されている。特に指示がない限り、一実施形態における部分または態様の説明は、別の実施形態における対応する部分または態様にも同様に適用される。
【００１４】
本明細書に記載の実施形態は、浮遊船舶、詳細には液化天然ガスを運搬して輸送するように構成されたＬＮＧ船に関する。ＬＮＧ船において、自然蒸発ガス（ＮＢＯＧ）は、ＬＮＧ船の運航の結果としての本質的に「フリー」な燃料源であり、海洋ガス油（ＭＧＯ）、たとえばディーゼル油などの従来の液体燃料よりクリーンに燃焼する。ＬＮＧ貯蔵タンクからのＮＢＯＧを浮遊船舶の推進燃料として使用することは、ＮＢＯＧの使用がＬＮＧ輸送の経済性を向上させ、ＬＮＧ運航の環境影響を軽減するので有益となり得る。
【００１５】
ＬＮＧ船の電力および推進システムは、広範な定期的船舶運航を支援する。これらは、需用、持続時間、および冗長性の要求が異なる。典型的な貨物荷渡サイクル中、船舶は、以下の基本運航を経験することになる。
【００１６】
貨物積込み：これは、典型的には、ＬＮＧが陸上ターミナルのＬＮＧ貯蔵タンクから船舶の貨物タンクに移送される期間である。低温を維持し空気を締め出すためにタンクがＬＮＧ貯残を収容しなかった場合、タンクのパージおよび冷却も要求され、貨物作業に必要とされる時間に加えられる。貨物積込み中、ＮＢＯＧは、一般に、船舶の発電プラントに燃料供給するために利用することができない。様々な実施形態において、船舶タイプに応じて、典型的な電気負荷は、２．５ＭＷ〜５ＭＷ程度である。
【００１７】
港内での準備、燃料積込み、および船員の休憩：船舶は、保守活動、貯蔵品積込み、ならびに液体燃料および潤滑油の補給を除いて、港内で待機する。電力レベルは、１．５ＭＷ〜３．５ＭＷに及ぶ場合があり、船舶運航サイクル中最低である。
【００１８】
港内外への移動：船舶は、典型的には１０または１２ノットの低速で航行し、港湾施設と外洋との間を移動する。電力レベルは、３ＭＷ〜１３ＭＷと中位である。このとき、機器の最大冗長性が重要となる。港湾航路は、狭い場合があり、他の港湾交通の危険性は、連続的な電力供給を要求する。多くの場合、ＬＮＧ船は、これらの運航中にリスクを軽減するためにタグの併走を伴う。タグの併走に加えて、船舶は、方向転換、航路内での位置調整、ならびに埠頭への移動および埠頭からの移動のためにタグを使用する。タグ運航中、推進力が時折ゼロとなる場合がある。
【００１９】
外洋移動：荷受港の海浮標と荷渡港の海浮標との間の移動が、船上時の大半を費やす。船舶の速度は、天候、波浪、経済性、およびスケジュールの配慮によって決まる。船舶は、最も経済的な速度で運航し、それは発電プラントがすべてのＮＢＯＧを消費し、強制蒸発ガス（ＦＢＯＧ）を使用しないときに生じ得る。外洋移動は、燃料経済性が冗長性より重要となり得る航海の部分である。外洋移動はまた、最も多くの電力を消費する。たとえば、船舶電力システムは、高い電力または最大の利用可能な電力を生成し得る。
【００２０】
貨物積降し：これは、船舶が貨物を陸上ターミナルに移送する期間である。例示的な実施形態では、船舶サービス負荷および貨物ポンプを駆動するための電力レベルは、８ＭＷ程度である。
【００２１】
オペレータは、時々の状況および経済的に最も適切な運転モードを選ぶ。
【００２２】
何十年もの間、ＬＮＧ船の推進は、２ストロークディーゼルエンジンの技術に基づいていた。最近のＬＮＧ輸送価格の高騰により、ＬＮＧ輸送会社は、従来の推進技術を経済性の高い革新的なソリューションに変更している。
【００２３】
たとえば、船舶の推進力の主要部分を生成するためのディーゼルエンジンの代わりに、ガスタービンエンジン−発電機アセンブリ（ＧＴＧ）を使用することができる。ＧＴＧは、蒸発ガス、特に自然蒸発ガス（ＮＢＯＧ）で動作させることができる。ＧＴＧは、蒸気によって駆動される蒸気タービンエンジン−発電機アセンブリ（ＳＴＧ）と組み合わせて使用することができる。蒸気は、ＧＴＧからの高温排気ガスを利用して生成することができる。ディーゼルエンジンと比較して、コストおよび燃料消費量を低減することができ、同じ輸送運行でより多くのＬＮＧを輸送することができる。
【００２４】
船舶電力システムは、ガスタービンエンジンと、ガスタービンエンジンによって駆動される第１の発電機とを含むガスタービンエンジン−発電機アセンブリ（ＧＴＧ）を含むことができる。ＧＴＧは、浮遊船舶の配電システムに供給され得る第１の電力を生成するように構成することができる。ガスタービンエンジンは、天然ガス、特に浮遊船舶のＬＮＧ貯蔵タンクからの自然蒸発ガス（ＮＢＯＧ）で燃料を供給することができる。
【００２５】
船舶電力システムはさらに、蒸気タービンと、蒸気タービンエンジンによって駆動される第２の発電機とを含む蒸気タービンエンジン−発電機アセンブリ（ＳＴＧ）を含むことができる。ＳＴＧは、浮遊船舶の配電システムに供給され得る第２の電力を生成するように構成することができる。さらに、ディーゼルエンジンを必要に応じて設けることもできる。
【００２６】
いくつかの実施形態では、ＧＴＧからの高温排気ガスは、ＳＴＧを駆動するための蒸気を生成するために少なくとも部分的に使用されてもよい。これにより、船舶電力システムの効率を高めることができる。特に、ＧＴＧおよびＳＴＧを含む複合サイクル構成は、高い効率を達成することができる。代替的または追加的に、ＳＴＧを駆動するための蒸気を生成するためのガス燃焼ユニットにおいてＢＯＧを燃焼させることも可能である。
【００２７】
船舶を高速で推進するための高い電力値を生成することを可能にするために、２５ＭＷ以上のシャフト電力を供給するように構成されたガスタービンエンジンなどの大型ガスタービンエンジンが、従来ＬＮＧ船には使用されてきた。しかし、大型ガスタービンエンジンには、欠点がある。たとえば、大型ガスタービンエンジンは、典型的には、設計電力出力で運転されるときに最大効率で作動し、浮遊船舶は、たとえば１９．５ノット以上の高い航行速度で推進される。しかし、高い航行速度で船舶を駆動することは、多くの燃料を消費する可能性がある。
【００２８】
本明細書に記載の実施形態によれば、ＧＴＧおよびＳＴＧを含む船舶電力システムは、中程度の航行速度、たとえば１８ノット以下の航行速度に焦点を合わせて設計されており、相当量の燃料を節約することができる。特に、従来の浮遊船舶と比較して、低減された最大電力出力を生成するように構成された、および／またはガスタービンエンジンのシャフト電力が低減されたより小型のＧＴＧを提供することができる。特に、いくつかの実施形態では、低減された電力定格を有し、シャフト電力が低減されたガスタービンエンジンを含むＧＴＧを使用することができる。注目すべきは、より小型のＧＴＧは、設計電力出力、すなわち、電力出力が低減された状態で運転されるときに高効率で作動し、浮遊船舶は、低減された航行速度で推進され得る。したがって、浮遊船舶の設計速度を従来の浮遊船舶と比較して低減することができるが、エネルギー効率および／または燃料消費量は増加することになる。
【００２９】
これは、高い航行速度で航行している船舶の輸送時間と比較して増加し得る輸送時間と、高い航行速度のために設計された船舶と比較して大幅に低減され得る燃料消費量との間の妥協をもたらす。基本的に、より小型のガスタービンモデルの統合は、燃料節約と余分な収入の組み合わせ、たとえば増加したペイロードにより、大きな経済的利益をもたらすことができる。
【００３０】
図１は、本明細書に記載の実施形態による浮遊船舶１００の電力システムの概略ブロック図である。浮遊船舶１００は、第１の電力２１を生成して第１の電力２１を配電システム５０に供給するように構成されたＧＴＧ１０と、第２の電力４１を生成して第２の電力４１を配電システム５０に供給するように構成されたＳＴＧ３０と、配電システム５０から供給された推進力６１を使用して浮遊船舶１００を推進するように構成された推進システム６０とを含む。本明細書に記載の実施形態によれば、ＧＴＧ１０は、標準的な条件で１０ＭＷ以上１８ＭＷ以下、特に１４ＭＷ以上１５ＭＷ以下の最大の第１の電力を生成するように構成される。
【００３１】
本明細書で使用されるＧＴＧの最大電力は、標準的な条件での電力定格またはＧＴＧの設計電力出力として理解され得る。典型的には、ＧＴＧのエネルギー効率は、ＧＴＧが設計電力出力で運転されるときに最大となる。したがって、本明細書に記載の実施形態による浮遊船舶のＧＴＧは、１０ＭＷ〜１８ＭＷの電力出力用に設計することができる。
【００３２】
ＧＴＧのガスタービンエンジンのシャフト電力は、ＧＴＧの発電機がいくらかの損失を伴い得るので、ＧＴＧの電力定格をわずかに上回る可能性がある。たとえば、いくつかの実施形態では、標準的な条件において、ガスタービンエンジンのシャフト電力は１１ＭＷ以上１９ＭＷ以下、特に１５ＭＷ以上１７ＭＷ以下であってもよい。本明細書で使用される標準的な条件は、約２５℃の大気圧および温度を意味し得る。
【００３３】
本明細書に記載の他の実施形態と組み合わせることができるいくつかの実施形態では、ＧＴＧは、標準的な条件で約１６．５ＭＷのシャフト電力用に構成することができるＮｏｖａ（商標）ＬＴ１６ガスタービンを含むことができる。Ｎｏｖａ（商標）ＬＴ１６ガスタービンの技術的詳細を記載した参考文献は、参照により本明細書に組み込まれる。
【００３４】
ＧＴＧによって生成された電力は、条件、特に温度に依存し得ることに留意されたい。たとえば、Ｎｏｖａ（商標）ＬＴ１６ガスタービンを有するＧＴＧは、２５℃で１４．５ＭＷの最大電力（海上航行の通常の場合）を発生することができ、その範囲は、５０℃で１１．３ＭＷから−２０℃で１８ＭＷとなり得る。
【００３５】
船舶の中程度の航行速度の負荷をより「中心として」いる「より小型の」ガスタービンモデルを使用することは、ＳＴＧと組み合わせてより効率的とすることができ、その結果、前記設計負荷を「中心として」いない「より大型の」ガスタービンモデルの場合と比較して、全体的な効率が向上し、および／または燃料消費量が低減される。
【００３６】
さらに、ガスタービンエンジン−発電機アセンブリを蒸気タービンエンジン−発電機アセンブリと組み合わせて使用することにより、これまでに使用されていたエンジン技術と比較して、余分なペイロード貨物容量、たとえば液化天然ガスＬＮＧに対してたとえば１０％の増大を得ることができる。
【００３７】
本明細書に記載の他の実施形態と組み合わせることができるいくつかの実施形態では、蒸気タービンエンジン−発電機アセンブリ３０は、特に標準的な条件において、３ＭＷ〜８ＭＷ、特に５ＭＷ〜６ＭＷの最大の第２の電力を生成するように構成されてもよい。ＳＴＧの最大の第２の電力は、ＳＴＧの設計出力電力または電力定格として理解することができる。ＳＴＧは、ＧＴＧが最大の第１の電力を生成するように運転され、ＧＴＧからの高温排気ガスがＳＴＧを駆動するための蒸気を発生するときに設計出力電力で運転することができる。
【００３８】
たとえば、標準的な条件（海上航行の通常の場合である２５℃の周囲温度）では、ＳＴＧは、５ＭＷ以上６ＭＷ以下の最大の第２の電力を発生することができる。したがって、たとえば、Ｎｏｖａ（商標）ＬＴ１６ガスタービンモデルを使用する場合、ＧＴＧおよびＳＴＧを含む電力システムは、１９ＭＷ以上２１ＭＷ以下の総電力を生成するように構成されてもよく、典型的には、１７ノット〜１８ノットの船舶速度の電気需要をカバーするのに十分な電力である。
【００３９】
ＬＮＧ船の場合、船舶のサイズは、船舶貨物容量で表される。本明細書に記載のＬＮＧ船の貨物容量の典型的な値は、１５０，０００ｍ３以上２００，０００ｍ３以下、特に約１７４，０００ｍ３である。
【００４０】
いくつかの実施形態では、推進力６１が最大の第１の電力と最大の第２の電力の合計に対応するとき、推進システムは１８ノット以下の最大速度で浮遊船舶を推進するように構成されてもよい。したがって、ＧＴＧとＳＴＧの両方が配電システム５０を介して推進力６１として使用されるそれぞれの設計出力電力を生成するとき、浮遊船舶は、１８ノット以下の速度で推進され得る。上記の計算では、船舶サービス負荷６２として使用可能なＧＴＧおよびＳＴＧによって生成された電力の一部がゼロであるとみなされることに留意されたい。船舶のこのような追加の電力負荷に応じて、推進力６１として利用可能な電力は、それに応じて低減され得る。
【００４１】
本明細書に記載のいくつかの実施形態によれば、ＧＴＧおよびＳＴＧは、ＧＴＧおよび／またはＳＴＧによって最大効率で生成された第１の電力２１および第２の電力４１の合計を利用することによって、浮遊船舶が１８ノット以下、特に１６ノット〜１８ノットの速度で推進することができるように設計されてもよい。この場合、さらなる電力、たとえばディーゼルエンジンから生成される電力は必要とされない。
【００４２】
本明細書に記載の他の実施形態と組み合わせることができるいくつかの実施形態では、最大の第１の電力は、浮遊船舶の総電力需要の５０％超、特に７０％超となり得、および／または最大の第２の電力は、浮遊船舶の総電力需要の５０％未満、特に３０％未満となり得る。これらの比により、ＳＴＧは、ＧＴＧの高温排気ガスを介して加熱された蒸気で、部分的に、主にまたは全体的に駆動することが可能になる。
【００４３】
本明細書に記載の他の実施形態と組み合わせることができるいくつかの実施形態では、ＧＴＧ１０は、ＬＮＧリザーバ７０からの蒸発ガス７１およびディーゼル油などの海洋ガス油で運転することができる二重燃料ガスタービンエンジンを含むことができる。たとえば、ＧＴＧ１０は、Ｎｏｖａ（商標）ＬＴ１６ガスタービンを含むことができる。
【００４４】
浮遊船舶はさらに、ＧＴＧ１０からの高温排気ガス８１および／または酸化ユニットからの高温ガスを使用して蒸気８２を生成するように構成された蒸気発生器８０を含んでもよく、蒸気８２は、ＳＴＧ３０の蒸気タービンを駆動するように構成することができる。酸化ユニットは、天然ガス、たとえばＮＢＯＧおよび／またはＦＢＯＧを燃焼させるように構成されたガス燃焼ユニットであってもよい。
【００４５】
本明細書に記載の他の実施形態と組み合わせることができるいくつかの実施形態では、浮遊船舶はさらに、ガスタービンエンジン−発電機アセンブリ１０のブラックスタート機能を提供し、および／または第３の電力を配電システム５０に供給するように構成された１つまたは複数のディーゼルエンジン−発電機アセンブリを含むことができる。ディーゼルエンジン−発電機アセンブリは、２ＭＷ〜５ＭＷの範囲の第３の電力を生成するように構成されてもよい。
【００４６】
ディーゼルエンジン−発電機アセンブリが設けられる場合、浮遊船舶１００は、より高い航行速度、たとえば１８ノット超、たとえば１９ノット以上、特に１９．５ノット以上の航行速度に「強制」されてもよい。たとえば、高い航行速度が必要な場合、１つ、２つまたはそれ以上の追加のディーゼルエンジンをオンにして、推進システム６０に対して、たとえば３ＭＷ以上の追加の電力を得ることができる。「強制された」高い航行速度が、ディーゼルエンジンの余分な燃料消費量を引き起こすことは明らかである。
【００４７】
いくつかの実施形態では、推進システムは、ＧＴＧ１０が最大の第１の電力を生成し、ＳＴＧ３０が最大の第２の電力を生成し、１つまたは複数のディーゼルエンジン−発電機アセンブリが第３の電力を生成するとき、１９ノット以上、たとえば１９．５ノットの速度で浮遊船舶を推進するように構成することができる。換言すれば、ＧＴＧおよびＳＴＧだけでなく、ディーゼルエンジン−発電機アセンブリも運転することによって、１８ノット超の航行速度を得ることができる。この場合、推進力は、最大の第１の電力、最大の第２の電力、およびディーゼルエンジンによって生成可能な３ＭＷ以上の追加の電力の合計に対応し得る。
【００４８】
たとえば、１７〜１８ノットの中程度の航行速度で浮遊船舶１００を推進するために、１つまたは複数のディーゼルエンジン−発電機アセンブリをオンにする必要はない。本明細書に記載の実施形態による電力システムは、この場合、向上した効率の複合サイクルを設けることができる。浮遊船舶を高い航行速度、たとえば１９．５ノットで推進するために、より大型のガスタービンを有するＧＴＧ、たとえば２０ＭＷ以上を生成するように構成されたＧＴＧの場合には、複合サイクル効率がより良好であり得る。
【００４９】
いくつかの実施形態では、ＧＴＧ１０は、ガス圧縮シャフトに配置され、ガス圧縮機を駆動するように構成された高圧タービンおよび／または発電シャフトに配置され、発電用に構成された低圧タービンを含む２軸エンジンを含むことができる。高圧タービンおよび低圧タービンの回転速度は可変であり得るので、２軸エンジンは、負荷遮断に応じて柔軟性が増す。たとえば、２段高圧タービンおよび／または２段低圧タービンを設けることができる。
【００５０】
低圧タービン（パワータービンとも呼ばれる）は、６，０００〜９，０００ｒｐｍの回転速度に構成することができる。特に、パワータービンの定格公称速度は、７，８００ｒｐｍであってもよい。代替的または追加的に、高圧タービンの定格公称速度は、９，０００〜１２，０００ｒｐｍ、特に約１０，２０４ｒｐｍであってもよい。
【００５１】
いくつかの実施形態では、ガスタービンエンジンの可用性は、９０％以上、さらには９９％以上と高くすることができる。代替的または追加的に、ガスタービンエンジンは、低メンテナンスであってもよい。たとえば、ガスタービンエンジンは、メンテナンスに３５，０００時間の平均時間を設計されてもよい。
【００５２】
ＧＴＧ１０は、以下の１つまたは複数を含むことができるＬＮＧ船推進の運転上の必要性に適合させることができる：（ｉ）ＧＴＧ１０は、燃料可変であってもよく、すなわち、ＬＮＧリザーバ７０から供給されるＢＯＧ７２、および追加の燃料、たとえばＢＯＧが利用できない状況において海洋ガス油（ＭＧＯ）で運転することができる。（ｉｉ）ＧＴＧ１０は、ピッチとロールの角度が大きいことを意味し得る厳しい海の状態、たとえば嵐においても運転することができる。（ｉｉｉ）ＧＴＧ１０は、特にガスタービンエンジンの火炎損失なしに、全負荷遮断および／またはベース負荷の２５％以上の突然の負荷変動の受け入れを特に含む、浮遊船舶の電気負荷の変動を受け入れることができる。リカバリ時間は、短くすることができる。（ｉｖ）ＧＴＧ１０を含む電力システムは、コンパクトであり、ディーゼルエンジンだけを含む電力システムと比較して、船舶フレームにたとえば１０％の追加のペイロードを可能にすることができる。
【００５３】
本開示の一態様によれば、浮遊船舶は、高圧タービンと低圧タービンとの間に配置された可変面積タービンノズルを有するＧＴＧを含むことができる。可変面積タービンノズルは、高圧タービンと低圧タービンの回転速度の比を調節するように構成することができる。したがって、ＧＴＧの全負荷時だけでなく、部分負荷時においても高い効率を得ることができる。特に、可変幾何学形状ノズルは、ガスタービンエンジンの部分負荷運転を改善するために、２段高圧タービンの下流、および２段低圧タービンの上流に設けられてもよい。
【００５４】
小型のガスタービンエンジンは、火炎損失なしに、かつ速い回復能で、電気負荷の突然の変動（完全または部分的な負荷遮断）を受け入れる優れた能力を有することができる。さらに、高圧タービンと低圧タービンとの間の可変面積タービンノズルは、火炎損失なしに負荷変動に耐える能力をさらに改善することができる。
【００５５】
ＧＴＧ１０は、火炎損失なしに、３ＭＷ以上、特に６ＭＷ以上の負荷遮断、より詳細には全負荷遮断に耐えるように構成することができる。特に、ＧＴＧ１０のガスタービンエンジンは、６ＭＷ以上の負荷遮断の場合、または全負荷遮断の場合でさえ、火炎損失がないように構成することができる。
【００５６】
いくつかの実施形態では、ＧＴＧ１０はさらに、特に入口ガス流の制御を行うための可変入口ガイドベーンを含む、多段軸流圧縮機を含むことができる。たとえば、１２段の高効率軸流圧縮機を設けてもよい。圧縮機は、１つまたは複数、特に２つ以上、より詳細には３つの可変幾何学形状ベーン段、すなわち可変入口ガイドベーン（ＶＩＧＶ）および可変第２段および第３段ベーン（ＶＳＶ）を設けることができる。ガイドベーンは、圧縮機流路の翼形部のピッチを変化させて回転し、適切な失速マージンおよび／または始動および運転条件全体にわたって高効率を提供するように構成されてもよい。さらに、いくつかの実施形態では、固定幾何学形状ベーン段が設けられてもよい。
【００５７】
ＧＴＧに入る空気は、入口ケーシングによって軸流圧縮機に導くことができ、その際、空気は、軸流圧縮機で１５：１以上、特に１９：１の比に圧縮され得る。
【００５８】
軸流圧縮機から出る圧縮空気は、環状燃焼器内に導くことができ、ここで圧縮空気は燃料、たとえば圧縮天然ガスと混合することができる。燃料／空気混合物は、最初に点火プラグで点火され得る。燃焼が自己完結すると、点火プラグがオフになる。いくつかの実施形態では、３０以上のバーナ、たとえば３９のバーナが設けられてもよい。
【００５９】
高温燃焼ガスは、圧縮機ロータを駆動することができる高圧タービン内に導くことができる。高圧タービンは、たとえば第１段および第２段タービンホイールを含む軸流反応型タービンであってもよい。
【００６０】
ガスは、出力負荷を駆動することができる低圧タービンを通ってさらに膨張することができる。低圧タービンからの排気ガスは、排気ディフューザによって方向転換され、排気プレナムフランジを通して排出され得る。
【００６１】
低圧タービンは、ロータと、低圧ステータアセンブリとを含むことができる。ロータは、第１段タービンディスクと、第２段タービンディスクとを含むことができる。
【００６２】
図２は、本明細書に記載のいくつかの実施形態による浮遊船舶１００の電力システムの概略ブロック図である。電力システムは、図１に関して上述した電力システムのいくつかの特徴またはすべての特徴を含み得るので、ここで繰り返されない上記の説明を参照することができる。電力システムは、船上電力および推進力をＬＮＧ船に供給するように構成することができる。
【００６３】
特に、浮遊船舶１００は、ガスタービンエンジン１２および第１の発電機１４を有するＧＴＧ１０と、蒸気タービンエンジン３２および第２の発電機３４を有するＳＴＧ３０と、１つまたは複数の第３の発電機９１を有する１つまたは複数のディーゼルエンジン−発電機アセンブリ９０とを含む。ＧＴＧ１０は、第１の電力２１を生成するように構成され、ＳＴＧ３０は、第２の電力４１を生成するように構成され、ディーゼルエンジン−発電機アセンブリ９０は、第３の電力を生成するように構成される。
【００６４】
ＧＴＧ１０の最大の第１の電力は、１０ＭＷ以上１８ＭＷ以下である。換言すれば、ＧＴＧは、１０ＭＷ以上１８ＭＷ以下の出力電力に設計されている。
【００６５】
いくつかの実施形態では、浮遊船舶１００は、１つまたは複数のＬＮＧリザーバ７０から、たとえばＬＮＧ貯蔵タンクからＢＯＧ７１を受け取るように構成された蒸発ガス圧縮機１０２を含む。圧縮されたＢＯＧは、二重燃料ガス燃焼ユニット１０６および／または二重燃料ガスタービンエンジン−発電機アセンブリとすることができるＧＴＧ１０に送ることができる。さらに、ガス燃焼ユニット１０６はまた、非圧縮蒸発ガスの「自由流」を燃焼させることができる。
【００６６】
いくつかの実施形態では、浮遊船舶１００は、たとえばオフノーマル運転中または高速航行用に電力を供給するように構成されたディーゼルエンジン−発電機アセンブリ９０に海洋ガス油（ＭＧＯ）を送るように構成された燃料リザーバ１１０を含む。燃料リザーバ１１０はまた、ＭＧＯをガス燃焼ユニット１０６および／またはＧＴＧ１０に送るように構成されてもよい。海洋ガス油７２として説明したが、燃料リザーバ１１０は、様々な他の燃料または燃料タイプを含むことができる。
【００６７】
第１の電力２１を配電システム５０に供給することに加えて、ＧＴＧ１０はまた、排気ダクト１１８を通して高温の排気流を蒸気発生器８０に供給することもできる。排気ダクト１１８は、ダイバータバルブコントローラ１２２によって制御されるダイバータバルブ１２０を含むことができる。ダイバータバルブ１２０は、蒸気発生器８０への、および／または蒸気発生器のバイパススタック１２６を通した周囲１２４へのＧＴＧ排気流の量を調節するように構成されてもよい。
【００６８】
ＧＴＧ排気流は、クロスオーバダクト１２８を通して蒸気発生器８０に送ることができる。特定の条件下では、ＧＴＧ１０は、ＬＮＧリザーバ７０で生成されたＮＢＯＧのすべてを消費することができない場合がある。このような条件の間、ガス燃焼ユニット１０６へのＮＢＯＧの代替経路を使用することができる。ガス燃焼ユニット１０６は、ＮＢＯＧを酸化して高温排気ガスの流れを生成し、これは、スタック１３０を通して周囲１２４に、および／またはダイバータバルブコントローラ１３４によって制御され得るダイバータバルブ１３２を通してクロスオーバダクト１２８に送られる。
【００６９】
したがって、蒸気発生器８０には、クロスオーバダクト１２８を通してＧＴＧ１０および／またはガス燃焼ユニット１０６からの高温排気ガスを供給することができ、高温排気ガスの各流れは、それぞれのダイバータバルブによって制御され得る。
【００７０】
他の条件下では、ＧＴＧ１０および／またはガス燃焼ユニット１０６を通して処理されたＮＢＯＧを使用して生成が可能な、より多くの蒸気を生成できることが有益であり得る。この場合、ＮＢＯＧ流量が、ＳＴＧ３０が最大電力に達するのに十分でない場合があるバラスト航海などでは、ＦＢＯＧを使用してガス燃焼ユニットに燃料を供給することができる。
【００７１】
ダイバータバルブ１２０および１３２は、それぞれのコントローラ１２２および１３４によって制御されてもよい。個々のスタンドアロンコントローラとして説明したが、コントローラ１２２および１３４は、単一のコントローラに組み合わされてもよく、またはより大型の発電プラント制御システム内で具体化されてもよい。ダイバータバルブ１２０および１３２は、それぞれのコントローラ１２２および１３４によって制御され、蒸気発生器８０に送られたガス燃焼ユニット１０６からの排気ガスが、すべての運転条件下で排気ガスの安定してバランスのとれた流れを確保するのに十分な背圧を提供するようにする。
【００７２】
蒸気発生器８０は、クロスオーバダクト１２８を通して供給されるＧＴＧ１０および／またはガス燃焼ユニット１０６からの高温排気ガスから蒸気を生成するように構成することができる。生成された蒸気は、配電システム５０に導くことができる第２の電力４１を生成するように構成されたＳＴＧ３０に送ることができる。ＳＴＧ３０からの減少した蒸気の第１の部分は、１つまたは複数の船上蒸気負荷１３８に送られてもよい。船舶加熱蒸気は、蒸気タービンの上流に位置する減圧バルブから導き出されてもよく（約８５％未満の蒸気流）、または蒸気タービンエンジンから取られる抽出蒸気（減少した蒸気）から導き出されてもよい（電力＞８５％）。ＳＴＧ３０からの減少した蒸気の第２の部分は、凝縮器で凝縮され、凝縮システム（図示せず）および給水システム（図示せず）を通して再資源化され蒸気発生器８０に戻される。
【００７３】
運転中、浮遊船舶は、少なくとも総電力需要、利用可能な運転機器、運転環境および電気プラント構成に基づく複数の基本運転モードを含むことができる。基本運転モードの各々のサブモードは、異なる燃料供給（液体またはガス）、排出条件、および電力を増加させるためのブラックスタート緊急ディーゼルの潜在的な使用を考慮に入れることができる。
【００７４】
たとえば、以下の運転モードの一部またはすべてを設けることができる：プラント運転停止（モード０）；ＧＴＧおよびＳＴＧ複合サイクル並列電気プラント運転（モード１）；ＧＴＧおよびＳＴＧ複合サイクルスプリット電気プラント運転（モード２）；ＧＴＧ単一サイクル（モード３）；ガス燃焼ユニット熱源を用いたＳＴＧボトミングサイクル（モード４）；高冗長性スプリット電気プラント（モード５）；高冗長性並列電気プラント運転（モード６）。
【００７５】
ＧＴＧ１０は、図１を参照して上述した特徴のいくつかまたはすべてを含み得るので、ここで繰り返されない上記の説明を参照することができる。
【００７６】
図３は、本明細書に記載の実施形態による浮遊船舶の向上した効率を示すグラフである。ｙ軸は、ＣＯＧＥＳプラントとも呼ばれる複合ガスおよび蒸気発電システムの総発電効率を示す。ｘ軸は、ＧＴＧおよびＳＴＧによって生成された第１の電力および第２の電力の合計を示す（ＣＯＧＥＳプラント総電力）。
【００７７】
本明細書に記載の実施形態によるＣＯＧＥＳプラントの効率は、約５ＭＷ〜約２０ＭＷのＣＯＧＥＳプラント総電力の範囲においてより高いことが示されており、従来のＣＯＧＥＳプラントと比較して、約１０ノット〜約１８ノットの浮遊船舶の航行速度に対応する。他方、本明細書に記載の実施形態によるＣＯＧＥＳプラントは、ディーゼルエンジンによって提供され得る追加の電力なしに、約１８ノットより高い航行速度で浮遊船舶を推進することができない場合がある。たとえば１９．５ノット以上の高い航行速度で浮遊船舶を推進するためには、従来のＣＯＧＥＳプラントの効率は、十分であり得る。しかし、１８ノット以下の速度範囲では、本明細書に記載の実施形態によるＣＯＧＥＳシステムは、向上した効率値を提供する。
【００７８】
たとえば、Ｎｏｖａ（商標）ＬＴ１６ガスタービンエンジンを含むＣＯＧＥＳプラントを１７ノットの低速で使用する場合、補助エンジンをオンにする必要はなく、ＣＯＧＥＳプラントは、従来のＣＯＧＥＳプラントの４５％と比較して４７％の向上した効率をもたらす。航行速度がより高い、たとえば１９．５ノットの場合、従来のＣＯＧＥＳプラントの効率は、おそらく追加のディーゼルエンジンをオンにする必要はないため、たとえば４９％とより高くなり得る。１７ノットでの推進には約１６ＭＷの低い電力が必要であり、１９．５ノット（２３．２８ＭＷ）での推進には高い電力が要求され得る。相当量の燃料を、節約することができる。
【００７９】
さらなる態様によれば、浮遊船舶、詳細にはタンク船、より詳細にはＬＮＧ船を運転する方法が説明される。
【００８０】
図４に示すように、ボックス４１０において、１０ＭＷ〜１８ＭＷの最大の第１の電力を生成するように構成されたＧＴＧ１０、およびＳＴＧ３０が浮遊船舶に設けられる。換言すれば、浮遊船舶上に設けられるＧＴＧ１０は、１０ＭＷ以上１８ＭＷ以下の設計出力電力または電力定格を有することができる。
【００８１】
ボックス４２０において、ＧＴＧ１０は、第１の電力２１を生成するように運転され、第１の電力２１は、配電システム５０に供給される。さらに、ＳＴＧ３０は、第２の電力４１を生成するように運転され、第２の電力４１は、配電システム５０に供給される。
【００８２】
ボックス４３０において、浮遊船舶は、配電システム５０から供給される推進力６１を使用して推進システム６０によって推進される。
【００８３】
いくつかの実施形態では、浮遊船舶は、最大の第１の電力と最大の第２の電力の合計にほぼ対応し得る１９〜２１ＭＷの推進力で、１８ノット以下、たとえば１７ノット〜１８ノットの速度で推進されてもよい。換言すれば、ＧＴＧ１０および／またはＳＴＧ３０が、ＧＴＧおよび／またはＳＴＧのそれぞれの設計電力出力に対応し得る高い効率範囲で運転される場合、浮遊船舶は、１８ノット以下の速度で航行することができる。燃料消費量は、低減することができる。
【００８４】
いくつかの実施形態では、１つまたは複数のディーゼルエンジン−発電機アセンブリ９０を運転させて、第３の電力９２を生成し、第３の電力９２を配電システム５０に供給することができる。浮遊船舶の電力要件に応じて、第３の電力は、２ＭＷ〜５ＭＷの範囲とすることができる。
【００８５】
たとえば、浮遊船舶は、１８ノット以上、たとえば１９ノット〜２０ノットの速度で推進されてもよく、推進力は２２〜２６ＭＷの範囲である。この電力は、最大の第１の電力、最大の第２の電力、および１つまたは複数のディーゼルエンジン−発電機アセンブリによって生成され得る第３の電力の合計に対応し得る。特に、ＧＴＧおよび／またはＳＴＧは、ＧＴＧおよび／またはＳＴＧのそれぞれの電力定格に対応し得る高い効率範囲で運転されてもよく、高い航行速度で浮遊船舶を推進するように推進システムを「強制する」ために、１つまたは複数のディーゼルエンジン−発電機アセンブリによって追加の電力を生成してもよい。燃料消費量、特にディーゼル消費量は、増加する可能性がある。
【００８６】
いくつかの実施形態では、たとえば外洋移動においても、浮遊船舶は基準レベルを下回る推進力の第１の運転モードで運転させることができる。そこでは、第３の電力９２は配電システム５０に供給されず、浮遊船舶は１８ノット以下の速度で航行することができる。
【００８７】
いくつかの実施形態では、たとえば例外的な状況または緊急の場合には、浮遊船舶は基準レベルを上回る推進力の第２の運転モードで運転させることができる。そこでは、第３の電力が配電システム５０に供給され、浮遊船舶は１８ノット超の速度で航行することができる。第２の運転モードでは、ＧＴＧおよび／またはＳＴＧを運転させて、それぞれの電力定格に対応する電力を生成することができる。
【００８８】
典型的には、ＧＴＧ１０は、ＬＮＧリザーバ７０からの蒸発ガス７１、たとえばＮＢＯＧのみで部分的にまたは全体的に運転されてもよい。強制蒸発は、必要ではない。
【００８９】
いくつかの実施形態では、ＧＴＧ１０を運転することは、高圧タービンと低圧タービンの回転速度の比を調節するために、ＧＴＧ１０のガスタービンエンジンの高圧タービンの下流および低圧タービンの上流に配置された可変面積タービンノズルを調整することを含む。
【００９０】
そこでは、可変面積タービンノズルは、ＧＴＧ１０の第１の電力の需要に応じて、および／または負荷遮断の場合に調整されてもよい。
【００９１】
前述は本開示の実施形態を対象とするが、本開示の他のおよびさらなる実施形態は、その基本的な範囲から逸脱することなく考案されることができ、その範囲は、以下の特許請求の範囲により決定される。
【符号の説明】
【００９２】
１０  ガスタービンエンジン−発電機アセンブリ
１２  ガスタービンエンジン
１４  第１の発電機
２１  第１の電力
３０  蒸気タービンエンジン−発電機アセンブリ
３２  蒸気タービンエンジン
３４  第２の発電機
４１  第２の電力
５０  配電システム
６０  推進システム
６１  推進力
６２  船舶サービス負荷
７０  ＬＮＧリザーバ
７１  蒸発ガス
７２  海洋ガス油
８０  蒸気発生器
８１  高温排気ガス
８２  蒸気
９０  ディーゼルエンジン−発電機アセンブリ
９１  第３の発電機
９２  第３の電力
１００  浮遊船舶
１０２  蒸発ガス圧縮機
１０６  二重燃料ガス燃焼ユニット
１１０  燃料リザーバ
１１８  排気ダクト
１２０  ダイバータバルブ
１２２  ダイバータバルブコントローラ
１２４  周囲
１２６  バイパススタック
１２８  クロスオーバダクト
１３０  スタック
１３２  ダイバータバルブ
１３４  ダイバータバルブコントローラ
１３８  船上蒸気負荷
【図１】
2018158713.tif 000003
【図２】
2018158713.tif 000004
【図３】
2018158713.tif 000005
【図４】
2018158713.tif 000006
【外国語明細書】
2018158713000001.pdf